(57)【要約】  本発明は、表示装置を照明する照明システムであって、少なくとも１つの光源と、前記少なくとも１つの光源によって生成される光を表示装置の方向にガイドする光ガイドとを有する照明システムに関する。本発明は、前記のような照明システムを備える表示装置にも関する。
2009509297.tif 000002
【特許請求の範囲】
【請求項１】
少なくとも１つの光源と、
前記少なくとも１つの光源によって生成される光を表示装置の方向にガイドする光ガイドと、
を有する前記表示装置を照明する照明システムであって、前記光源は前記光ガイド内に部分的に埋め込まれていることを特徴とする、照明システム。
【請求項２】
前記光ガイドは、前記少なくとも１つの光源を部分的に収容する少なくとも１つの収容空間を有していることを特徴とする、請求項１に記載の照明システム。
【請求項３】
前記少なくとも１つの収容空間はチャネルによって形成されていることを特徴とする、請求項２に記載の照明システム。
【請求項４】
前記少なくとも１つのチャネルは、前記光ガイドの長手方向に沿って実質的に延在していることを特徴とする、請求項３に記載の照明システム。
【請求項５】
前記収容空間は上壁及び複数の側壁によって規定されており、前記側壁は、前記光源によって生成される光の前記光ガイド内への導入結合のためのものである、請求項２に記載の照明システム。
【請求項６】
前記上壁は、少なくとも部分的に光反射性である層を備えていることを特徴とする、請求項５に記載の照明システム。
【請求項７】
前記収容空間は、前記光ガイドの、前記光ガイドの前記表示装置に面している側に位置されていることを特徴とする、請求項２に記載の照明システム。
【請求項８】
前記照明システムは複数の光源を有していることを特徴とする、請求項１に記載の照明システム。
【請求項９】
各光源は、
−  イオン化可能な物質によって充填されている少なくとも部分的に光透過性である細長い放電容器と、
−  前記放電容器に接続されている複数の電極であって、ランプ動作の間、放電がこの間に延在する複数の電極と、
を有する蛍光ランプによって形成されていることを特徴とする、請求項１に記載の照明システム。
【請求項１０】
前記放電容器の内面及び／又は外面は、少なくとも部分的に光反射性である層を備えていることを特徴とする、請求項９に記載の照明システム。
【請求項１１】
前記少なくとも１つの光源は、ＬＥＤ、特に側部発光ＬＥＤによって形成されていることを特徴とする、請求項１に記載の照明システム。
【請求項１２】
前記光ガイドの表示装置に面している側は、前記光ガイドの前記対向する側にほぼ平行に配向されていることを特徴とする、請求項１に記載の照明システム。
【請求項１３】
前記光ガイドの表示装置に面している側は、前記光ガイドの前記対向する側に対してほぼ平行でないように配向されていることを特徴とする、請求項１に記載の照明システム。
【請求項１４】
前記光ガイドの表示装置に面している側は、前記光ガイドからの光を前記表示装置の方向に抽出する少なくとも１つの光学箔を備えていることを特徴とする、請求項１に記載の照明システム。
【請求項１５】
請求項１乃至１４の何れか一項に記載の照明システムを備えている表示装置。
【発明の詳細な説明】
【技術分野】
【０００１】
本発明は、少なくとも１つの光源と、前記少なくとも１つの光源によって生成される光を表示装置の方向にガイドする光ガイドとを有する前記表示装置を照明する照明システムに関する。本発明は、更に、前記のような照明システムを備える表示装置にも関する。
【背景技術】
【０００２】
ＬＣＤピクチャスクリーンのような、表示装置は、一般に、自身の表面積全体のバックライトを必要とし、前記バックライトは、ピクチャを可視的なものにするためにできるだけ均一であることが知られている。しかしながら、特に、大型の照明装置の場合にしばしば生じる問題は、高い発光強度が、前記ピクチャスクリーンが位置決めされる前方における発光表面全体に渡る十分な均一性を有して生成されることができないことである。このことは、不快なピクチャ効果を生じ得る。更に、これらの照明装置は、多くの場合において、できるだけ薄い厚さを有さなくてはならない。既知の照明システムの2つの主な分類は、側部照明（side-lit）構成及び直接照明（direct-lit）構成である。側部照明構成において、光源からの光は、光ガイドの１つ以上の側部に結合導入され、内部全反射によって表示領域全体に渡って効率的に分配されることができる。光は、前記光ガイドから様々な仕方において抽出され、例えば、拡散的に散乱されたドットのパターンによって又はマイクロ光学のフィーチャによって抽出される。直接照明バックライトにおいて、光源は、当該表示器の真後ろに配されている。表示領域の一様な照明は、当該表示器からある程度の距離に光源を配することによって達成される。光源と表示器との間に光分布（light-spreading）拡散器を有することが必須である。提案されるバックライトの第３の分類は、チャネル照明（channel-lit）構成又は間接照明（indirect-lit）構成として示されることができ、光源は、光ガイド内に、特に、前記光ガイド内に作られているチャネル内に完全に埋め込まれている。前記チャネル照明構成の照明システムの有利な点は、大型のＬＣＤピクチャスクリーン用のバックライトとしての使用に特に適切であると共に、比較的小さい構造深度と組み合わせて前記ピクチャスクリーンの均一かつ比較的強力な照明を利用可能にする照明システムが提供されることである。
【発明の開示】
【発明が解決しようとする課題】
【０００３】
しかしながら、前記のような既知のチャネル照明型の照明システムも、幾つかの不利な点を有する。既知の照明システムの主な不利な点は、利用されるべき光ガイドが、当該光源を収容するためのチャネル用に十分な厚さを提供するために、比較的厚く、従って重いことである。
【０００４】
本発明の目的は、表示装置の比較的均一かつ強力な照明が達成されることができる比較的軽量かつ小型の照明システムを提供することにある。
【課題を解決するための手段】
【０００５】
本発明による目的は、光源が部分的に光ガイド内に埋め込まれていることを特徴とする本発明による照明システムを提供することによって、達成されることができる。前記のような少なくとも１つの光源を光透過性光ガイド内に単に部分的に埋め込むことによって、前記光ガイドが薄くされることができ（直接照明型の照明システムと比較してほぼ約３０％薄い）、従ってあまり重くないようにすることができる。更に、前記光ガイドを薄くし、従って、あまり頑丈でないようにすることにより、前記のような照明システムは、比較的小型にされることができる。本発明による照明システムの付加的な有利な点は、前記少なくとも１つの光源の一部が、前記光ガイドを越えて延在しており、これにより当該光源の改善された冷却を可能にすることにある。
【０００６】
好ましくは、前記光ガイドは、前記少なくとも１つの光源を部分的に収容する少なくとも１つの収容空間を有する。この収容空間の形状及び寸法決めは、可変的な性質のものであり、例えば、当該光ガイド内に設けられた窪み（孔）の形態をとることもできる。前記収容空間によって部分的かつ同時に囲まれる（enclosed）べき光源の数も、変化し得るものであり、一般に、本発明による照明システムにおいて利用されるべき光源の性質に依存する。一般に、１つ以上の細長い蛍光ランプが、ＬＣＤのような、表示装置を照明するのに使用されるので、前記収容空間は、好ましくはチャネルによって形成される。このため、前記チャネルは、好ましくは、前記光源を部分的かつ比較的引き締まった態様において囲む（enclose）ように成形される。前記光ガイドに結合導入されるべき光の量を最適化するために、前記少なくとも１つのチャネルは、好ましくは、実質的に前記光ガイドの長手方向に沿って延在している。この態様において、前記光ガイド比較的効率的な光の結合と、従って、前記表示装置の強力な照明とが、達成されることができる。前記収容空間は、好ましくは、上壁及び複数の側壁によって規定され、前記側壁は、前記光源によって生成される光を前記光ガイドに結合導入するように適応化されている。この目的のため、前記側壁は、好ましくは、前記少なくとも１つの光源によって生成される光の前記光ガイドへの比較的妨害されていない導入結合（incoupling）を最適化するために、ほぼ平坦である。ここで、前記側壁は、好ましくは、前記上壁とほぼ直角を成している。特に、好適な実施例において、前記上壁は、少なくとも部分的に光反射性である層を備えている。この層は、ほぼ完全に反射性のものであっても良い。しかしながら、ある特定の状況においては、この層は、前記収容空間内に部分的に位置決めされている前記光源によって生成される光に対して、部分的に半透明であっても良く、結果として、前記上壁のこの実施例は、前記光ガイド内に光を結合導入するのに適応化されている。好適実施例において、前記収容空間は、前記光ガイドの前記表示装置に面している側に対向している前記光ガイドの側に位置されている。この場合、前記表示装置は、前記光ガイドに比較的近接して位置決めされることができる。しかしながら、当業者であれば、反転された照明システムを得るために、前記少なくとも１つの収容空間を前記光ガイドの前記表示装置に面している側に位置させることも考えられることができる。
【０００７】
実際、前記照明システムは、一般に、各々前記光ガイド内に部分的に埋め込まれている複数の光源を有する。好ましくは、複数の別個の収容空間が、前記光源を部分的に収容するために前記光ガイド内に設けられる。各収容空間は、複数の光源の一部を同時に収容するように適応化されることもできる。しかしながら、各収容空間が、1つの光源の一部を収容するように適応化され、結果として、利用される光源の数が、本発明による照明システムの光ガイド内に設けられる収容空間の数に等しいことも想像可能である。
【０００８】
好適実施例において、各光源は、イオン化可能な物質によって充填されている少なくとも部分的に光透過性の細長い放電容器と、前記のような容器に接続されている複数の電極とを有する蛍光ランプであって、ランプ動作の間、前記電極の間に放電が延在する蛍光ランプによって形成される。この実施例によれば、管状の低圧水銀蒸気放電ランプ（例えば、冷陰極蛍光ランプ（ＣＣＦＬ）、熱陰極蛍光ランプ（ＨＣＦＬ）又は外部電極蛍光ランプ（ＥＥＦＬ））が、照明システムにおける蛍光ランプとして使用されることができる。一般に、低圧水銀蒸気放電ランプが紫外光を前記表示装置の照明のための可視放射に変換するのを可能にするために、燐コーティングが塗布される。様々な種類の蛍光ランプが、本発明による前記照明システム内部に使用されることができるが、各蛍光ランプは熱陰極蛍光ランプ（ＨＣＦＬ）によって形成されるのが好ましい。なぜならば、この種のランプは、バックライト目的のために理想的に適したものであるからである。ＨＣＦＬランプの主要な不利な点は、これらのランプの電極が、ランプ動作の間に、著しい量の熱を生成し、一般に光ガイド上に設けられる光学フォイルのような、当該照明システムの所定の熱による影響の大きい（heat-sensitive）構成要素に対する弊害をもたらすことである。この主な不利な点を打ち消すために、各ランプの一部を前記放電空間の外側と、これらの電極の改善された冷却（能動的な（強制的な）冷却又は受動的な（対流）冷却であり得る）を可能にすると共に、更に、熱による影響の大きい光学フォイルに向かう当該ランプの熱放射を劇的な態様において減少するための開放的な空間内（open space）とに位置決めすることが、かなり有利である。好適実施例において、前記放電容器の内面及び/又は外面は、少なくとも部分的に光反射性である層を備えている。前記のような反射性の層は、更に好ましくは、前記放電容器の内面及び／又は外面の一部に設けられる。少なくとも部分的に光反射性である層は、当該蛍光ランプ内で生成される光を前記光ガイドに向かって指向するように適応化されている。好ましくは、前記放電容器の前記収容空間に面している部分（前記収容空間を規定している側壁）は、前記光ガイド内への光の比較的妨害されていない導入結合を可能にするために、前記少なくとも部分的に反射性である層によって覆われていないままである。前記少なくとも部分的に反射性である層が前記放電容器の外側に位置決めされている場合、前記層は、実質的に前記ランプから（小さい）距離を隔てて位置決めされることが考えられる。
【０００９】
代替的な好適実施例において、前記少なくとも１つの光源は、ＬＥＤ（特に側部発光ＬＥＤ）によって形成される。ＬＥＤは、比較的耐久性があると共に（従って）環境に優しい。これらのＬＥＤは、限定された色スペクトルを有する光を生成するのに適応化されており、一般に三つ組のＬＥＤが利用され、各三つ組は、それぞれ、赤色光、緑色光、及び青色光を生成するように適応化されている３つのＬＥＤから成る。この態様において、白色光は、各三つ組によって生成されることができる。前記三つ組の利用の有利な点は、比較的広い色スペクトルが、この態様において達成されることができることにある。更に、前記三つ組の利用は、前記三つ組のうちの特定のＬＥＤを、特定の期間だけ選択的にオン又はオフに切り換えることによる色調整を可能にし、このように前記三つ組によって発せられる効果的な色は、視聴者によって改善された知覚及び経験を作るように、前記表示装置によって表示される画像に適応化されることができる。更に、特定のＬＥＤの一時的な切換えは、一般に、エネルギの全体的な節約に繋がる。
【００１０】
前記光ガイドは、１つ以上の収容空間を備えている平坦なプレートによって形成されることができ、前記光ガイドの表示装置に面している側は、前記光ガイドの対向する側に対してほぼ平行に配向されている。しかしながら、好適実施例において、前記光ガイドの表示装置に面している側は、前記光ガイドの対向する側に対してほぼ平行でないように（non-parallel）配向されている。この後者の実施例において、前記光ガイドは、更に小型であるようにさえも成形されることができ、前記照明システムの全体的な厚さを更に減少することさえもできる。
【００１１】
好適実施例において、前記光ガイドの表示装置に面している側は、前記光ガイドからの光を前記表示装置の方向に抽出する抽出構造を備えている。前記抽出構造は、例えば、拡散ドットパターン、マイクロ光学構造、体積ホログラム、表面格子、コレステリックのネットワークポリマ及び光学的に異方性のマイクロ構造化された層を含み得る。前記光学構造は、好ましくは、１つ以上の光学フォイルを有する。この態様において、前記光ガイドに含まれる放射は、前記表示装置を照明するために最適な態様において前記光ガイドから抽出されることができる。
【００１２】
本発明は、本発明による照明システムを有する表示装置にも関する。液晶表示器（ＬＣＤ）に加えて、能動的な照明を必要とする全ての種類の表示器が、本発明による外部の照明システムによって使用されることができる。しかしながら、当該照明システムが他の目的にも使用されることができることは明らかでなければならない。この目的のために、前記照明システムは、例えば、直接照明に利用されることもでき、又は照明ボックス内又は日焼け装置の一部として利用されることもできる。
【発明を実施するための最良の形態】
【００１３】
本発明は、更に、以下の非限定的な実施例によって説明される。
【００１４】
図１は、従来技術から知られている照明システムの斜視図を示している。照明システム１は、それぞれ複数の蛍光ランプ４を収容する複数の収容チャネル３を備えている光ガイド２を有する。この図に示されているように、各ランプ４は、完全に、光ガイド２に埋め込まれている。各チャネル３の側壁５を介して、ランプ４によって生成される光は、光ガイド２内に結合導入されることができる。抽出構造６によって、この光は、実質的に、光ガイド２から表示装置（例えば、ＬＣＤ（図示略））の方向に結合導出されることができる。各チャネル３の上壁７は、前記表示装置のほぼ均一な照明を達成するために反射層８を備えている。光ガイド２は、一般に、例えば、ポリカーボネート又はポリメチルメタクリル（ＰＭＭＡ、パースペクス（登録商標））のような、光透過性ポリマから作られている。この図に示されている照明システム１の実施例は、比較的厚く、従って重い。更に、ランプ４の冷却は、ランプ４のそれぞれのチャネル３内への完全な埋め込みにより比較的困難となっている。
【００１５】
図２ａは、本発明による照明システム９の斜視図を示している。照明システム９は、複数の収容チャネル１１を備えている光ガイド１０を有しており、各チャネル１１は、蛍光ランプ１２を部分的に収容するように適応化されている。ランプ１２の光ガイド１０へのこの部分的な埋め込みによって、光ガイド１０は、より薄い、従って実質的により重くないものになる。各チャネル１１の対向する側壁１３を介して、ランプ１２によって生成される光は、光ガイド１０に結合導入されることができる。各チャネル１１の前壁１４は、表示装置（図示略）のほぼ均一な照明を確実なものにするために、少なくとも部分的に光反射性である層１５を備えている。前記のような表示器のこのほぼ均一照明は、更に、光ガイド１０の上部に位置されている抽出構造１６によって決定される。光ガイド１０の抽出構造１６に対向している底側と、ランプ１２の収容チャネル１１を越えて延在している部分との両方が、反射性の裏打ち（backing）１７によって覆われている。この反射性の裏打ち１７は、好ましくは、光ガイド１０内部の光の誘導の崩壊を防止するために、光ガイド１０から小さい距離だけ隔てて位置されている。光ガイド１０は、図１に示されている光ガイド２の厚さに対して減少された厚さを有するので、照明システム９の有利な重さの減少を生じ、チャネル１１の側壁１３の高さも減少され、光ガイド１０内に結合導入される光の量を減少させる。しかしながら、従来の光ガイド２の５０パーセント以上もの厚さの減少は、単に、光ガイド１０の導入結合容量の重要でなく無視できる損失を生じることが分かっている。側壁１３の高さと前記導入結合容量との間の関係は、図７において更に説明される。
【００１６】
図２ｂは、図２ａによる照明システム１７の断面を示している。照明システム１７は、それぞれ、複数の、細長い放電ランプ２０の収容部のための複数の収容スロット１９を備えているプレート成形されている光ガイド１８を有する。各スロット１９の側壁２１を介して、光が、光ガイド１８内に結合導入されることができる。各スロット１９の上壁２２は、反射性層２３を備えている。光ガイド１８は限定された厚さを有するので、ランプ２０の部分的な実施例を生じ、ランプ２０のスロット１９を越えて延在する部分間の開放的な空間が、例えば、ランプ２０の制御のための、電子機材２４を収容するのに使用されることができ、減少された厚さを有する効率的に設計された照明システム１７を生じる。この図に示されているように、光ガイド１８の上面には、光の制御された導出結合のための抽出構造２５が設けられている。光ガイド１８の底面には、反射性の裏打ち２６が設けられている。前記上面及び前記底面は、互いにほぼ平行に配向されている。この実施例において、当該ランプの直径Ｄは、１６ｍｍである。光ガイド１８の厚さＴは、３ｍｍと６ｍｍとの間であり、光ガイド１８のランプ２０と抽出構造２５との間の部分の厚さは、約１ｍｍである。ランプ２０間（ランプ２０の中心間）の相互距離Ｐは、１００ｍｍである。
【００１７】
図３は、本発明による代替的な照明システム２７の断面を示している。この図に示されている照明システム２７は、図２ａ及び２ｂに示されている照明システム１７に対して、構造的に多かれ少なかれ類似のものであり、照明システム２７のプレート成形されている光ガイド２８が、図２ｂに詳細に示されている光ガイド１８とは異なって成形されている点における違いを有する。いま示されている光ガイド２８は、抽出構造２９が設けられている平坦な上面を有し、反射性の裏打ち３０によって覆われている畝のある（テーパー）底面を有する。この畝のある底面は、複数のランプ３３の収容部のために光ガイド２８内に設けられたチャネル３２の側壁３１の高さによって決定される導入結合容量が、十分に大きく保持されることができる一方で、光ガイド２８の他の部分は、更に減少された厚さを付与されることができ、これにより、電子機材のような、周辺機器３４を収容する更なる空間を生成することができるので、一般に、有利である。再び、ランプの直径Ｄは、１６ｍｍである。光ガイド２８の厚さＴは、光ガイド２８の特定の部分に依存して３ｍｍと６ｍｍとの間であり、光ガイド２８のランプ３３と抽出構造２９との間の部分の厚さは約１ｍｍである。ランプ３３間（ランプ３３の中心間）の相互距離Ｐは１００ｍｍである。
【００１８】
図４は、本発明による照明システム３５の第３の実施例の断面を示している。照明システム３５は、反射性の裏打ち３６と（小さい距離を隔てた）光ガイド３７と１つ以上の光学フォイル３８との積層（laminate）を有しており、光学フォイル３８のアセンブリが、抽出構造を形成している。光ガイド３７は、複数の収容空間３９を備えており、各空間は、蛍光ランプ４０を部分的に収容するように適応化されている。裏打ち３６と光ガイド３７との間に設けられている間隙内に光を導くことによる光の損失を防止する又は少なくとも最小化するように、反射性の裏打ち３６は、前記間隙内への光の反射が打ち消されることができるように成形される。示している実施例において、２つのランプ４０が図示されている。左側に示されているランプ４０は、反射性の裏打ち３６によって囲まれている。しかしながら、この図の右側に示されているランプ４０に関しては、反射性の裏打ち３６が、この右側のランプ４０が、光ガイド３７に向かって光を反射する内部の反射性層４１を備えているので、当該ランプの近傍に局所的に中断されている。ランプ４０間の相互距離Ｐは、８０ｍｍである。
【００１９】
図５ａは、本発明による照明システム４２の第４の実施例の断面を示している。照明システム４２は、抽出層４４及び反射性の裏打ち４５によって囲まれている光ガイド４３を有している。光ガイド４３は、複数の収容窪み４６を備えており、各窪み４６は、３つのＬＥＤ４７の部分を同時に収容するように適応されているが、前記３つのＬＥＤ４７のうちの１つのＬＥＤ４７のみが示されている。設けられているＬＥＤ４７は側部発光ＬＥＤ４７であり、どの三つ組のＬＥＤ４７も、赤色光を生成することができる第１のＬＥＤ４７と、緑色光を生成することができる第２のＬＥＤ４７と、青色光を生成することができる第３のＬＥＤ４７とから成る。代替的な実施例において、白色光を生成するために適応化された１つのＬＥＤを、各窪み４６に、収容することも考えられる。前記のようなＬＥＤを設けることの重要で有利な点は、ＬＥＤの比較的長い寿命、従ってＬＥＤの耐久性と、ＬＥＤの各三つ組によって生成されるべき色を、照明システム４２によって照明される表示装置によって視覚化される画像の性質に適応化するための機能である。光ガイドの厚さＴは、本実施例において３ｍｍであり、ＬＥＤ４７の発光部の厚さＬは、３．４ｍｍである。
【００２０】
図５ｂは、図５ａによる照明システム４２の上面図を示している。この図において、光ガイド４３は複数の窪み４６を備えており、各窪みには、三つ組のＬＥＤ４７が設けられていることが明らかに示されている。各窪み４６は、壁４８（特に４つの側壁及び１つの上壁）によって規定されている。上壁及び２つの側壁４８の両方は、反射性層４９を備えており、結果として、光は、図５ｂに示されているような２つの対向する側壁４８を介して光ガイド４３内に結合導入されるのみである。複数の小さい窪み４６を使用する代わりに、当業者であれば、例えば図２に示したような、ＬＥＤのアレイが内部に配されることができるチャネル又はスロットを利用することも想像することができる。本発明による照明システムの更に代替的な、更に雑種的な（hybrid）において、様々な種類のランプが、１つの照明システム内で同時に利用される。この目的のために、当該照明システムにおいてＬＥＤ及び蛍光ランプの両方を利用することも想像可能である。
【００２１】
図６は、本発明による照明システム５０の詳細図を示している。照明システム５０は、複数のスロット５２（このうちの１つのみが示されている）を備える光ガイド５１を有しており、各スロット５２は、光源５３の一部を収容するように適応化されている。各スロット５２は、反射性層５５を備えている上壁５４と、２つの対向するほぼ平行な側壁５６とによって規定されている。側壁５６は、光ガイド５１内に光を結合導入するのに適している。一般には、側壁５６がほぼ平行に配向される必要はないことに留意されたい。側壁５６は、僅かに先細りにされるように配向され、側壁５６が相互に角度を成すことも考えられる。照明システム５０は、複数の溝５８を備えている偏光選択可能な（polarization-selective）抽出箔５７を更に有している。この図において、上壁５４の上方の溝空間は、抽出箔５７の、光ガイド５１からの光（特に指向的なＳ極性（S-polarized）の光）のほぼ均一な抽出を確保するためにこの領域に隣接している溝空間とは異なることが示されている。光ガイド５１の対向する側は、抽出箔５７に向かう光の反射を最適化するためのマイクロ構造化されたバックリフレクタ５９を備えている。バックリフレクタ５９は、照明システム５０の導入結合効率を最適化するためにランプ５３の近傍において光ガイド５１に緊密に嵌合している。
【００２２】
図７は、本発明による照明システム６０の概略図を示している。照明システム６０は、反射性上壁６３及び２つの側壁６４によって規定されている収容チャネル６２を備えている光ガイド６１を有している。システム６０は、チャネル６２内に部分的に位置決めされていると共に上壁６３に対して横たわっているランプ６５を更に有する。側壁６４の高さは、前記のような導入結合の縁部の厚さｔを表している。この具体例で使用されているランプ６５は、１６ｍｍの直径、従って８ｍｍの半径を有するＴ５ランプの種類である。図７に示されているように、アパーチャ全体の半分であるアパーチャαは、ａｒｃｃｏｓｉｎｅ［（Ｒ−ｔ）／ｔ］によって計算されることができる。前記アパーチャは、距離としても表現されることができ、ランプ６５の周縁の典型的な部分である。以下の表において、種々の異なる使用可能なアパーチャが、前記導入結合の縁部の厚さｔの関数として与えられる。
【表１】
2009509297.tif 000003
【００２３】
前記導入結合の縁部の厚さｔの、１６ｍｍから６ｍｍまでの減少は、導入結合効率の損失に対する限定された（無視できる）効果を有することが分かっている。しかしながら、この厚さの減少は、照明システム６０の重量の大幅な節約を生じる。この理由のために、この厚さは、好ましくは、６ｍｍ以下である。
【００２４】
図８は、表示装置（図示略）の照明のための本発明による反転されている照明システム６６の代替的な実施例を示している。照明システム６６は、対応する蛍光ランプ６９を部分的に収容する複数の収容チャネル６８を備えている光ガイド６７を有している。しかしながら、この特定の実施例において、収容チャネル６８は前記表示装置に向かって指向されており、この結果として、ランプ６９は、当該表示装置と光ガイド６７との間に配されている。光ガイド６７の下に、反射性層７０は位置決めされており、光ガイド６７の上側は、部分的に反射性である及び部分的に半透明である層７１を備えており、層７１によって偏光選択可能な抽出が、実現されることができる。オプションとして、このような偏光選択可能な抽出層７１は、底側にも設けられることができる。ランプ６９は、特定の偏光方向を有する光に対して透過的である反射性層７２によって覆われている。この特定の装置は、各ランプ６９を囲んでいる反射性層７２の利用をより容易なものにする。更に、この装置において、通常ランプ６９の近くに存在する光の輝線（bright light lines）を隠すことは、比較的容易である。この実施例において、付加的な偏光選択可能な拡散層７３が、前記表示装置の比較的強力で均一な照明を達成するのに利用される。しかしながら、この層７３は、一般にオプション的なものである。
【００２５】
上述の実施例は、本発明を限定するよりは解説するものであること、及び当業者であれば添付請求項の範囲から逸脱することなしに、代替的な実施例を設計できることに留意されたい。前記請求項において、括弧内に置かれた如何なる符号も、請求項を限定するようにみなしてはならない。「有する」という語は、請求項に記載されていない構成要素又はステップの存在を排除するものではない。単数形の構成要素は、複数のこのような構成要素を排除するものではない。特定の手段が、相互に異なる従属請求項において引用されているという単なる事実は、これらの手段の組み合わせが有利になるように使用されることができないと示すものではない。
【図面の簡単な説明】
【００２６】
【図１】従来技術から知られている照明システムの斜視図を示している。
【図２ａ】本発明による照明システムの斜視図を示している。
【図２ｂ】図２ａによる照明システムの断面を示している。
【図３】本発明による代替的な照明システムの断面を示している。
【図４】本発明による照明システムの第３の実施例の断面を示している。
【図５ａ】本発明による照明システムの第４の実施例の断面を示している。
【図５ｂ】図５ａによる照明システムの上面図を示している。
【図６】本発明による照明システムの詳細図を示している。
【図７】本発明による照明システムの概略図を示している。
【図８】本発明による照明システムの代替的な実施例を示している。
【図１】
2009509297.tif 000004
【図２ａ】
2009509297.tif 000005
【図２ｂ】
2009509297.tif 000006
【図３】
2009509297.tif 000007
【図４】
2009509297.tif 000008
【図５ａ】
2009509297.tif 000009
【図５ｂ】
2009509297.tif 000010
【図６】
2009509297.tif 000011
【図７】
2009509297.tif 000012
【図８】
2009509297.tif 000013